(57)【要約】【課題】  録音データの整理が不要なチューナ付き録音機器を提供する。【解決手段】  このチューナ付き録音機器は、電源投入されると受信データを解析して新規な放送局が有るか否かを判別し（Ｓ１〜Ｓ３）、有る場合はその放送局に対応するディレクトリを作成し（Ｓ４）、録音操作がされた場合は番組に応じたディレクトリに番組データを格納する（Ｓ５〜Ｓ７）。したがって、番組データを放送局別に別途整理する必要がなく、便利である。【選択図】        図２
2006287441.tif 000002
【特許請求の範囲】
【請求項１】
チューナによって選択された番組を録音するチューナ付き録音機器において、
前記番組を情報別に振り分けて格納するためのディレクトリを作成し、前記番組が対応する情報に応じたディレクトリに前記番組のデータを格納することを特徴とする、チューナ付き録音機器。  
【請求項２】
前記情報は放送局であり、
前記チューナの受信データに基づいて受信可能な放送局を検出し、検出した放送局毎にディレクトリを作成する、請求項１に記載のチューナ付き録音機器。
【請求項３】
前記情報はプリセットされた放送局である、請求項１に記載のチューナ付き録音機器。
【請求項４】
前記情報は時間帯である、請求項１に記載のチューナ付き録音機器。  
【請求項５】
前記時間帯は所望の時間幅に設定可能になっている、請求項４に記載のチューナ付き録音機器。
【請求項６】
前記情報は放送局と時間帯の組合せである、請求項１に記載のチューナ付き録音機器。
【請求項７】
前記情報は番組名である、請求項１に記載のチューナ付き録音機器。
【請求項８】
前記情報はジャンルである、請求項１に記載のチューナ付き録音機器。
【発明の詳細な説明】
【技術分野】
【０００１】
この発明はチューナ付き録音機器に関し、特に、チューナによって選択された番組を録音するチューナ付き録音機器に関する。
【背景技術】
【０００２】
従来のＩＣレコーダ、携帯電話機などのチューナ付き録音機器では、情報内容に関わらず、ある１つのディレクトリ（フォルダ）あるいはルートディレクトリにデータが格納されていたので、多種多様な番組のデータが混在して保存されていた（たとえば特許文献１参照）。
【特許文献１】特開２００４−２３５７７号公報
【発明の開示】
【発明が解決しようとする課題】
【０００３】
このようなチューナ付き録音機器のユーザは、特定の複数の放送局で放送されている複数の番組（音楽、英会話など）を録音する場合が多い。この場合、録音したデータを整理するとき、データを録音機器からパーソナルコンピュータに転送してデータを放送局別や番組別に仕分けする必要があり、この作業に手間と時間がかかり、ユーザの負担が大きかった。
【０００４】
それゆえに、この発明の主たる目的は、録音データの整理が不要なチューナ付き録音機器を提供することである。
【課題を解決するための手段】
【０００５】
この発明に係るチューナ付き録音機器は、チューナによって選択された番組を録音するチューナ付き録音機器において、番組を情報別に振り分けて格納するためのディレクトリを作成し、番組が対応する情報に応じたディレクトリに番組のデータを格納することを特徴とする。  
【０００６】
好ましくは、情報は放送局であり、チューナの受信データに基づいて受信可能な放送局を検出し、検出した放送局毎にディレクトリを作成する。
【０００７】
また好ましくは、情報はプリセットされた放送局である。
【０００８】
また好ましくは、情報は時間帯である。
【０００９】
また好ましくは、時間帯は所望の時間幅に設定可能になっている。
【００１０】
また好ましくは、情報は放送局と時間帯の組合せである。
【００１１】
また好ましくは、情報は番組名である。
【００１２】
また好ましくは、情報はジャンルである。
【発明の効果】
【００１３】
この発明に係るチューナ付き録音機器では、番組を情報別に振り分けて格納するためのディレクトリを作成し、番組が対応する情報に応じたディレクトリに番組のデータを格納する。したがって、録音データは情報別に整理されているので、録音データの整理を別途行なう必要が無い。
【発明を実施するための最良の形態】
【００１４】
[実施の形態１]
図１は、この発明の実施の形態１によるチューナ付き録音機器の構成を示すブロック図である。図１において、このチューナ付き録音機器は、アンテナ１、チューナ２、タイマ３、マイク４、記録媒体５、制御部６、操作部７、電源８、スピーカ９、およびＬＣＤ１０（液晶表示装置）を備える。
【００１５】
チューナ２は、放送局からの電波を受信し、受信した電波からデータを抽出して制御部６に与える。タイマ３は、時刻情報を制御部６に与える。マイク４は、ユーザの音声などを音声データに変換して制御部６に与える。記録媒体５は、データの書込／読出が可能な記録媒体であり、具体的にはフラッシュメモリ、メモリカードなどである。
【００１６】
操作部７は、電源スイッチ、選局キー、音量調整キー、録音ボタン、再生ボタン、データ選択キーなどを含み、ユーザによって操作される。電源８は、チューナ付き録音機器全体に電源電圧を供給する。スピーカ９は、チューナ２、マイク４、記録媒体５から制御部６を介して与えられたデータを音声に変換する。ＬＣＤ１０は、種々の情報を表示する。
【００１７】
制御部６は、操作部７からの信号に従ってチューナ付き録音機器全体を制御する。制御部６は、録音時は、チューナ２の受信データまたはマイク４からの音声データを記録媒体５に格納し、再生時は、操作部７を用いて選択されたデータを記録媒体５から取出してスピーカ９に与える。
【００１８】
図２は、このチューナ付き録音機器の特徴となるデータ記録方法を示すフローチャートである。図２において、操作部７の電源スイッチがオンされると、ステップＳ１においてチューナ２は電波を受信する。ステップＳ２において制御部６は、受信データを解析し、周波数帯の情報を得る。ステップＳ３において制御部６は、受信可能となった新規な放送局があるかどうかを判別し、新規な放送局がある場合はステップＳ４において新規な各放送局に対応する新規なディレクトリを作成し、新規な放送局がない場合はステップＳ５においてスタンバイ状態となる。なお、放送局とは、周波数あるいは放送局名で示される情報である。
【００１９】
ステップＳ６において録音操作がされたかどうかを判別し、録音操作がされていない場合はステップＳ５に戻り、録音操作がされた場合はステップＳ７において受信中の番組を放送している放送局に対応するディレクトリにその番組の受信データを格納する。
【００２０】
図３は、このデータ記録方法を模式的に示す図である。図３において、このチューナ付き録音機器では、電源投入時に受信可能な放送局♯１〜♯ｎのディレクトリが自動的に作成され、番組Ａ，Ｂ，Ｃ，…を録音すると、各番組のデータはその番組を放送している放送局に対応するディレクトリに格納される。したがって、番組データを放送局別に別途整理する必要がなく、便利である。
【００２１】
図４は、従来のチューナ付き録音機器のデータ記録方法を模式的に示す図である。図４において従来は、録音した時刻順に番組Ａ，Ｂ，Ｃ，…のデータが１つのディレクトリに記録されていたので、録音した番組のデータをパーソナルコンピュータなどに転送して整理する必要があり、不便であった。
【００２２】
なお、この実施の形態１では、受信可能な全放送局について各放送局毎にディレクトリを作成したが、プリセットされた特定の放送局のみについてディレクトリを作成してもよいし、ユーザによって選択された番組の放送局のみについてディレクトリを作成してもよい。また、電源投入時に新規なディレクトリを作成したが、録音開始時に作成してもよい。
【００２３】
[実施の形態２]
図５は、この発明の実施の形態２によるチューナ付き録音機器のデータ記録方法を示すフローチャートである。チューナ付き録音機器の全体構成は、図１で示したものと同じである。図５において、操作部７の電源スイッチがオンされると、ステップＳ１１において制御部６は、時間帯別のディレクトリが有るかどうかを判別し、時間帯別のディレクトリが無い場合はステップＳ１２において時間帯別の新規なディレクトリを作成し、時間帯別のディレクトリが既に有る場合はステップＳ１３においてスタンバイ状態となる。
【００２４】
ステップＳ１４において録音操作がされたかどうかを判別し、録音操作がされていない場合はステップＳ１３に戻り、録音操作がされた場合はステップＳ１５において受信中の番組の放送時間に対応するディレクトリにその番組の受信データを格納する。
【００２５】
図６は、このチューナ付き録音機器のデータ記録方法を模式的に示す図である。図６において、このチューナ付き録音機器では、電源投入時に時間帯別のディレクトリが自動的に作成され、番組Ａ，Ｂ，Ｃ，…を録音すると、各番組のデータはその番組の放送時間に対応するディレクトリに格納される。したがって、番組データを時間帯別に別途整理する必要がなく、便利である。
【００２６】
なお、図６で示したように１時間単位でディレクトリを作成してもよいし、２時間単位でもよいし、どのような時間単位でディレクトリを作成しても構わない。また、時間単位は、固定されていてもよいし、所望の時間に設定可能にされていてもよい。
【００２７】
また、実施の形態１と２を組合せ、各放送局毎に時間帯別のディレクトリを作成してもよいし、各時間帯毎に複数の放送局のディレクトリを作成してもよい。
【００２８】
[実施の形態３]
図７は、この発明の実施の形態３によるチューナ付き録音機器のデータ記録方法を示すフローチャートである。チューナ付き録音機器の全体構成は、図１で示したものと同じである。このチューナ付き録音機器では、ディレクトリの情報が設定可能になっている。ユーザは、ＬＣＤ１０を見ながら操作部７を操作してディレクトリの情報を入力することにより、番組名や、音楽、スポーツ、ニュース、英会話などのジャンル別にディレクトリを設定することができる。
【００２９】
図７において、ステップＳ２１において制御部６は、ディレクトリについて新規情報が入力されているかどうかを判別し、新規情報がある場合はステップＳ２２において新規情報に対応するディレクトリを作成し、新規情報が無い場合はステップＳ２３においてスタンバイ状態となる。
【００３０】
ステップＳ２４において録音操作がされたかどうかを判別し、録音操作がされていない場合はステップＳ２３に戻り、録音操作がされた場合はステップＳ２５において受信中の番組が対応するディレクトリにその番組の受信データを格納する。
【００３１】
図８は、このチューナ付き録音機器のデータ記録方法を模式的に示す図である。図８において、番組名別のディレクトリが作成され、番組Ａ，Ｂ，Ｃ，…を録音すると、各番組のデータはその番組に対応するディレクトリに格納される。したがって、番組データを番組別に別途整理する必要がなく、便利である。
【００３２】
図９は、このチューナ付き録音機器のデータ記録方法を模式的に示す他の図である。図９において、音楽、スポーツ、ニュース、英会話などのジャンル別のディレクトリが作成され、番組Ａ，Ｂ，Ｃ，…を録音すると、各番組のデータはその番組に対応するディレクトリに格納される。したがって、番組データをジャンル別に別途整理する必要がなく、便利である。
【００３３】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００３４】
【図１】この発明の実施の形態１によるチューナ付き録音機器の構成を示すブロック図である。
【図２】図１に示したチューナ付き録音機器のデータ記録方法を示すフローチャートである。
【図３】図２で示したデータ記録方法を模式的に示す図である。
【図４】従来のデータ記録方法を模式的に示す図である。
【図５】この発明の実施の形態２によるチューナ付き録音機器のデータ記録方法を示すフローチャートである。
【図６】図５で示したデータ記録方法を模式的に示す図である。
【図７】この発明の実施の形態３によるチューナ付き録音機器のデータ記録方法を示すフローチャートである。
【図８】図７で示したデータ記録方法を模式的に示す図である。
【図９】図７で示したデータ記録方法を模式的に示す他の図である。
【符号の説明】
【００３５】
１  アンテナ、２  チューナ、３  タイマ、４  マイク、５  記録媒体、６  制御部、７  操作部、８  電源、９  スピーカ、１０  ＬＣＤ。  
【図１】
2006287441.tif 000003
【図２】
2006287441.tif 000004
【図３】
2006287441.tif 000005
【図４】
2006287441.tif 000006
【図５】
2006287441.tif 000007
【図６】
2006287441.tif 000008
【図７】
2006287441.tif 000009
【図８】
2006287441.tif 000010
【図９】
2006287441.tif 000011